(57)【要約】      （修正有）【課題】物品のコードを選択的に締めたり緩めたりするように構成されたコードロック組立体を提供する。【解決手段】コードロック組立体１００は、シェルと、ピストン１０４と、バネ部材１２８とを含むことができる。シェルは内部空間を画定し、整列したシェル側コード通路１１０を含む。ピストンは内部空間内に摺動可能に保持される。ピストンには、ピストン側コード通路１２２が貫通、形成されている。バネ部材は、係止位置でピストン側コード通路の位置がシェル側コード通路の位置とずれるようにシェル内のピストンに力を作用する。引き紐１２４はピストンに固定してもよく、解除位置でコードが自由に通過できるようにピストン側コード通路の位置をシェル側コード通路の位置と合わせるため、ピストンを引張って移動させるように構成することができる。【選択図】図１５
0003165024.tif 000002
【実用新案登録請求の範囲】
【請求項１】
物品のコードを選択的に締めたり緩めたりするように構成されたコードロック組立体であって、前記コードロック組立体が、
内部空間を画定するシェルであって、整列したシェル側コード通路を備えるシェルと、
前記内部空間内に摺動可能に保持されるピストンであって、ピストン側コード通路が貫通、形成されて成るピストンと、
係止位置で前記ピストン側コード通路の位置が前記シェル側コード通路の位置とずれるように前記シェル内の前記ピストンに力を作用するバネ部材とを具備し、
解除位置において、前記シェル側コード通路に対して前記ピストン側コード通路を整列させ、コードが自由に通過可能とするために、前記シェルを前記ピストンに対して引張る、或いは、前記ピストンを前記シェルに対して引張るように構成されているコードロック組立体。
【請求項２】
前記シェルまたは前記ピストンの一方は、前記シェルを前記ピストンに対して引張る、或いは、前記ピストンを前記シェルに対して引張るために、直接的に把持、操作するように構成されている請求項１に記載のコードロック組立体。
【請求項３】
前記ピストンに固定された引き紐を具備し、該引き紐を引張って前記ピストンを移動させ、前記シェル側コード通路に対して前記ピストン側コード通路を整列させて解除位置で前記コードが自由に通過可能とするように構成されている請求項１に記載のコードロック組立体。
【請求項４】
前記引き紐が、前記ピストン側コード通路と前記シェル側コード通路とを解除位置に移動させるため、片手で把持するように構成されている請求項３に記載のコードロック組立体。
【請求項５】
前記引き紐の遠位端部が、触覚によって識別できる特徴的な把持片に連結されている請求項３に記載のコードロック組立体。
【請求項６】
前記シェルにスナップ式に固定されたエンドキャップを具備し、前記ピストンが前記シェルと前記エンドキャップとの間に保持され、かつ、前記エンドキャップが、前記引き紐が通過する開口部を備える請求項１に記載のコードロック組立体。
【請求項７】
前記物品に固定された材料の一部を確実に保持するように構成された少なくとも１つの繋留部を備える請求項１に記載のコードロック組立体。
【請求項８】
前記少なくとも１つの繋留部の位置が、前記シェル側コード通路の少なくとも一方の上方に整列している請求項１に記載のコードロック組立体。
【請求項９】
前記シェルが開放端部と閉鎖端部とを備える請求項１に記載のコードロック組立体。
【請求項１０】
前記シェルが第１と第２の開放端部を具備し、可撓性繋留索が前記第１と第２の開放端部の一方に繋止され、前記可撓性繋留索が前記ピストンの移動を制限する請求項１に記載のコードロック組立体。
【請求項１１】
前記バネ部材が、係止位置で前記シェルの閉鎖端部の方へ前記ピストンを付勢する請求項１に記載のコードロック組立体。
【請求項１２】
前記ピストンは、前記バネ部材によって、前記内部空間内で係止位置に吊下げられる請求項１に記載のコードロック組立体。
【請求項１３】
物品を選択的に開放および閉鎖するシステムにおいて、該システムが、
前記物品の開口部に近接して固定されたコードと、
物品の前記コードを選択的に締めたり緩めたりするように構成されたコードロック組立体とを具備し、該コードロック組立体が、
内部空間を画定するシェルであって、整列したシェル側コード通路を備えるシェルと、
前記内部空間内に摺動可能に保持されたピストンであって、ピストン側コード通路が貫通、形成され、前記コードの一部が前記シェル側コード通路および前記ピストン側コード通路の中に保持されるピストンと、
係止位置において、前記ピストン側コード通路の位置が前記シェル側コード通路の位置とずれるように前記シェル内の前記ピストンに力を作用するバネ部材であって、係止位置において、前記コードが定位置に固定されるようにしたバネ部材とを具備し、
前記シェルは、前記シェル側コード通路に対して前記ピストン側コード通路を整列させ解除位置で前記コードが自由に通過可能とするために、前記ピストンに対して引張られるように構成されているコードロック組立体とを備えるシステム。
【請求項１４】
前記シェルが、前記ピストンに対して前記シェルを引張るため直接把持および操作するように構成されている請求項１３に記載のシステム。
【請求項１５】
前記ピストンに固定された引き紐を具備し、該引き紐を引張って前記ピストンを移動させ、前記シェル側コード通路に対して前記ピストン側コード通路を整列させて解除位置で前記コードが自由に通過可能とするように構成されている請求項１３に記載のシステム。
【請求項１６】
前記引き紐が、前記ピストン側コード通路と前記シェル側コード通路とを解除位置に移動させるため片手で把持するように構成されている請求項１５に記載のシステム。
【請求項１７】
前記引き紐の遠位端部が、触覚によって識別できる第１の把持片に連結されている請求項１５に記載のシステム。
【請求項１８】
前記コードが、前記第１の把持片と別個で特徴的な第２の把持片に接続され、前記第１と第２の把持片が寸法および／または形状の一方または両方において異なっている請求項１３に記載のシステム。
【請求項１９】
前記コードロック組立体が、前記シェルにスナップ式に固定されたエンドキャップを具備し、前記ピストンが前記シェルと前記エンドキャップとの間に保持され、かつ、前記エンドキャップが、前記引き紐が通過する開口部を備える請求項１３に記載のシステム。
【請求項２０】
前記コードロック組立体が、前記物品に固定された繋留索を確実に保持するように構成された少なくとも１つの繋留部を備える請求項１３に記載のシステム。
【請求項２１】
前記少なくとも１つの繋留部の位置が、前記物品の遠位に位置する前記シェル側コード通路の少なくとも一方の上方に整列している請求項２０に記載のシステム。
【請求項２２】
前記シェルが開放端部と閉鎖端部とを備える請求項１３に記載のシステム。
【請求項２３】
前記シェルが第１と第２の開放端部を具備し、可撓性繋留索が前記第１と第２の開放端部の一方に繋止され、前記可撓性繋留索が前記ピストンの移動を制限する請求項１３に記載のシステム。
【請求項２４】
前記バネ部材が、係止位置で前記シェルの閉鎖端部の方へ前記ピストンを付勢する請求項１３に記載のシステム。
【請求項２５】
前記ピストンは、前記バネ部材によって、前記内部空間内で係止位置に吊下げられる請求項１３に記載のシステム。
【請求項２６】
コードロック組立体であって、
内部空間を画定し楕円形の外周を有するシェルであって、整列したシェル側コード通路を備えるシェルと、
前記内部空間内に摺動可能に保持されたピストンであって、楕円形の断面を有し、ピストン側コード通路が貫通、形成されたピストンと、
係止位置で前記ピストン側コード通路の位置が前記シェル側コード通路の位置とずれるように前記シェル内の前記ピストンに力を作用するバネ部材と、
前記ピストンに固定された引き紐であって、前記引き紐が、解除位置でコードが自由に通過できるように、前記ピストン側コード通路の位置を前記シェル側コード通路の位置と合わせるために、引張って前記ピストンを移動させるように構成されており、前記引き紐が前記ピストン側コード通路と前記シェル側コード通路とを解除位置に移動させるため片手で把持するように構成されている、引き紐と、
前記引き紐の遠位端部に接続され、触覚によって識別できる特徴的な把持片と、
前記シェルを物品に確実に接続するように構成された少なくとも１つの繋留部と、
前記少なくとも１つの繋留部に固定され、前記物品に確実に固定されるように構成された繋留索とを備えるコードロック組立体。
【請求項２７】
前記シェルにスナップ式に固定されたエンドキャップを具備し、前記ピストンが前記シェルと前記エンドキャップとの間に保持され、かつ、前記エンドキャップが、前記引き紐が通過する開口部を備える請求項２６に記載のコードロック組立体。
【請求項２８】
前記少なくとも１つの繋留部の位置が、前記物品の遠位に位置する前記シェル側コード通路の少なくとも一方の上方に整列している請求項２６に記載のコードロック組立体。
【請求項２９】
前記シェルが開放端部と閉鎖端部とを備える請求項２６に記載のコードロック組立体。
【請求項３０】
前記シェルが第１と第２の開放端部を具備し、前記可撓性繋留索が前記第１と第２の開放端部の一方に繋止され、前記可撓性繋留索が前記ピストンの移動を制限する請求項２６に記載のコードロック組立体。
【請求項３１】
前記バネ部材が、係止位置で前記シェルの閉鎖端部の方へ前記ピストンを付勢する請求項２６に記載のコードロック組立体。
【請求項３２】
前記ピストンは、前記バネ部材によって前記内部空間内で係止位置に吊下げられている請求項２６に記載のコードロック組立体。
【考案の詳細な説明】
【技術分野】
【０００１】
本考案の実施形態は、概括的に、アウトドア衣料およびアクセサリーと共に使用しうるコードに関し、特に、片手で操作してコードを締めたり緩めたりできる改良されたコードロックに関する。
【０００２】
本願は、２００７年７月１７日出願の米国仮特許出願第６０／９５９７６９号「改良された片手操作式コードロック」の優先権を主張する。この出願は、本願と一体をなすものとして参照する。
【背景技術】
【０００３】
コードは、通常、開口部を包囲する布の紐穴またはコード通し穴内に収容される。コード通し穴の出口からコードを強く引張ると、バッグの開口部の場合のように、コードはコード通し穴を潰しながら開口部を完全に閉じる。開口部の閉鎖は通常、手袋の袖口または機材カバーの場合のように、要素を密閉するのに十分緊密なものであるが、ズボンのウエスト部分の場合のように調整も可能である。
【０００４】
コードを調整するため、様々なコードロックが使用されている。ある種のコードロックは、平坦でテーパーの付いたソケットを含む平坦型またはホイール形コードロックである。コードの２つの端部はソケットを通過し、歯の付いたウェッジまたはホイールによって定位置に解放可能に係止される。別の種類のコードロックは、２つ以上の摺動可能に位置をずらしたコード通路の間にコード（単数または複数）を挟持する。
【０００５】
図１は従来のコードロック２０の一部を透視する斜視図である。図２は従来のコードロック２０の軸方向断面図である。コードロック２０はバレル形コードロックでもよい。図１、２を参照すると、コードロック２０は硬質プラスチックから成形することができ、中空の円筒シェル２２を含む。該中空の円筒形シェルは一端が開放されており、内部ピストン２４を摺動自在に受容するようになっている。ピストン２４は、シェル軸Ａ１に沿って限定された範囲の行程を有する。ステンレス鋼の圧縮コイルバネ２６が、軸Ａ１に沿いにピストン２４と、シェル２２の閉鎖端部との間に配置される。シェル２２の直径を挟んだ両側には、軸Ａ１に対して垂直な軸Ａ２に沿って配置された２つのコード通路２８が形成されている。また、ピストン２４にはコード通路３０が軸Ａ２に平行に形成されており、該コード通路は、バネ２６の付勢力Ｆ１によって前記軸に対して位置がずれている。
【０００６】
図３は、コード通路２８、３０が整列した圧縮状態の、従来のコードロック２０の軸方向断面図である。図４は、コード３２を保持する従来のコードロック２０の軸方向断面図である。図３、４を参照すると、ユーザが人差し指Ｆ２と親指Ｆ３との間でピストン２４とシェル２２を共に圧縮するなどのように、ピストン２４がバネ２６の付勢力Ｆ１に抗してシェル２２内に押し込まれると、コード通路３０の位置はコード通路２８に対して整列する。こうして、コード３２はコード通路２８、３０を通過可能となり、コード３２上でコードロック２０の位置を調整できる。力Ｆ２、Ｆ３が解除されると、バネ２６の付勢力Ｆ１によってピストン２４が押上げられ、それによってコード通路２８、３０の位置がずれて、対向するコード通路２８、３０の近位縁部３４がコード３２を挟持する。こうして、コードロック２０はコード３２上の特定の位置で係止される。
【０００７】
図５は、従来の弓形コードロック４０の斜視図である。図６は、従来の弓形コードロック４０の横方向断面図である。図５、６を参照すると、コードロック４０は通常半弾性プラスチックから成形され、外側リング４２を含む。該外側リングは２つの弓形部分から成り、該２つの弓形部分は、その一層厚く形成された対向する直線状の側部の両端で一体化され、摺動可能にオフセットされた軸Ａ２と平行なコード通路４６が一体的に形成されている。バネビーム４８は一層薄く形成された連結端部であり、力Ｆ１によって、軸Ａ１に沿ってコード通路４６を付勢して位置をずらし、挟持縁部５０においてコード３２を挟持する。軸Ａ１に沿って、力Ｆ１に抗して力Ｆ２、Ｆ３を印加して側面４４を共に圧縮し、コード通路４６を整列させることによってコード３２の挟持が解除される。
【０００８】
上記のコードロックは一般に両手で操作するように構成されている。ある開口部を締めるため、操作者は一方の手でコードロックを圧縮して、挟持されているコードを解放し、もう一方の手でコードの端部を保持する。その後ユーザは、コードロックを通じてコードを引張ってコード通し穴を潰し、コード通し穴の出口穴に対してコードに沿ってコードロックを摺動させればよい。その後、コードロックは望ましい位置でコードを挟持できるようになる。緩めるために、操作者は、両手を使って開口部を拡げながら、一方の手でコードロックを圧縮し、コードの端部の方へ摺動させて、コードをコード通し穴内に引戻す。
【０００９】
一般に、コードロックとコードのシステムは、多くのアウトドア衣料およびアクセサリーの用途で要素を密閉できる。手首覆いの付いた手袋またはミトンの袖口を密閉するためにこのシステムを使用する場合、調整のために片手しか利用できないので、コードを強く引張るために歯を使うが、これは通常ぎこちない動作となる。したがって、コードロックの中には片手で操作するように構成されたものがある。この場合、コードロックは調整対象の衣服または物品に繋止されている。繋留部はコードロックをコード通し穴のコードの出口穴の近くに保持する。締めるためには、片手だけを使用してコードロックを通じてコードを引張り、緩めるためには、片手だけを使用してコードロックを圧縮しコードの挟持を解除する。その後、そのまま圧縮した状態で、コードロックを外向きに引張り、開口部を拡げる。
【００１０】
図７は、従来のコードロック２０の軸方向断面図である。穴５２は通常、シェル２２の閉じたバネ側端部に形成される。繋留索５４が穴の中で固定される。
【００１１】
図８は、繋止された従来のコードロック２０の斜視図である。弾性ウェビング５６は、コードロック２０のコード通路２８の一部の上に配置されている。図９、１０は、従来のコードロックを例示する。これらのコードロックは、普通のコードロックのシェルに一体的に組み込まれた単一または二重の繋止ループ５８を含む。
【００１２】
上記の繋止システムおよび方法は、コードロックの片手による操作を可能にする。通常、上記の繋止されたコードロックによって開口部を締める時、コードロックの挟持力を完全に克服する十分な力でコードを引張る。これは労力を要し、コードの摩耗を早め、コード通路の挟持縁部を摩耗させ、ショックコードを使用する場合には引伸ばしすぎることになり、繋止点に応力をかける。開口部を緩めるためには、コードロックを圧縮してコードの挟持を解除し、その後圧縮を保持して外向きに引張り開口部を拡げる。親指と人差し指の先端の間でコードを圧縮しているため、同時に外向きに引張りながらうまく把持し続けるのは困難になる。また、特に手袋またはミトンに厚い断熱材が付いている場合、手袋またはミトンを装着したままこうした操作を行うのは容易ではない。コードロックの中には画定された把持圧縮表面を含むものもあるが、こうした表面は通常大きくて邪魔になる。すなわち、こうした表面は、衝撃による損傷や、コードロックの外部の様々な他の物品との絡み合いの影響を受けやすい。
【考案の概要】
【００１３】
本考案の実施形態は、片手で操作できるコードロック組立体を提供する。本考案の実施形態は、締めている間はコードにかかるコードロックの挟持力を減らし、緩めている間はコードに対する挟持を解放して開口部を拡げる解放機構を提供するコードロック組立体を提供する。さらに、本考案の実施形態は、手袋またはミトンを装着しても容易に感知、把持、把持および操作できるコンパクトで丸みのある形状を有しうるコードロック組立体を提供する。
【００１４】
本考案のいくつかの実施形態は、物品のコードを選択的に締めたり緩めたりするように構成されたコードロック組立体を提供する。コードロック組立体はシェル、ピストンおよびバネ部材を含むことができる。
【００１５】
シェルは内部空間を画定し、前記シェルは、穴のこともある整列したシェル側コード通路、半円形開放経路、溝等を備える。ピストンは内部空間内に摺動可能に保持され、ピストン側コード通路が貫通、形成されている。
【００１６】
バネ部材は、係止位置において、ピストン側コード通路の位置がシェル側コード通路の位置とずれるように前記シェル内のピストンに力を作用する。解除位置において、シェル側コード通路に対してピストン側コード通路を整列させコードが自由に通過可能とするために、前記シェルを前記ピストンに対して引張る、或いは、前記ピストンを前記シェルに対して引張るようになっている。すなわち、前記シェルは、通路を整列させるため、ピストンに対して相対的に引張られる。
【００１７】
本考案のいくつかの実施形態は、シェルまたはピストンの何れかを直接把持して操作するように構成された組立体を提供する。こうして、前記シェルを前記ピストンに対して引張る、或いは、前記ピストンを前記シェルに対して引張るようになっている。
【００１８】
本考案のいくつかの実施形態は、手袋の開口部、ウエストバンド、バッグ／リュックサック等といった物品のコードを選択的に締めたり緩めたりするように構成されたコードロック組立体を提供する。コードロック組立体は、内部空間を画定するシェルを含む。シェルは整列したシェル側コード通路を含む。シェルの周囲（または周囲の包絡線）は楕円形とすることができる。
【００１９】
また、コードロック組立体は、シェルの内部空間内で摺動可能に保持されるピストンを含む。ピストンには、ピストン側コード通路を貫通、形成することができる。ピストンの断面（または断面の包絡線）も楕円形とすることができる。楕円形のシェルと共にピストンが楕円形であれば、ピストンはシェル内で回転しなくなる。また、楕円形状はコードロック組立体に強度を提供する。
【００２０】
また、コードロック組立体は、係止位置でピストン側コード通路の位置がシェル側コード通路の位置とずれるようにシェル内のピストンに力を作用するバネ部材を含むことができる。
【００２１】
引き紐はピストンに固定されている。引き紐は、解除位置でコードが自由に通過できるようにピストン側コード通路の位置をシェル側コード通路の位置と合わせるために、引張ってピストンを移動させるように構成されている。引き紐の遠位端部は、触覚によって識別できる特徴的な把持片に接続してもよい。すなわち、ユーザは、把持片を見ることができなくても、把持片の特徴的な寸法と形状によって引き紐を容易に識別できる。
【００２２】
コードロック組立体は、引き紐を片手で把持してピストン側コード通路とシェル側コード通路とを解除位置に移動させるように構成することができる。
【００２３】
エンドキャップはスナップ式にシェルに固定してもよい。この場合、ピストンはシェルとエンドキャップとの間に保持される。さらに、エンドキャップは、引き紐が通過する開口を含むことができる。
【００２４】
コードロック組立体のシェルは、第１と第２の開放端部を含むことができる。可撓性繋留索を第１と第２の開放端部の一方に繋止してもよい。可撓性繋留索は、引き紐が引張られる時、通路を整列させる助けとなるのと同時に、ピストンの移動を制限する（例えば、ピストンがシェルから出るのを防止する）ことができる。
【００２５】
少なくとも１つの繋留部は、物品に固定された材料の一部を確実に保持するように構成することができる。繋留部の位置は、シェル側コード通路の少なくとも一方の位置に整列するように配置できる。
【００２６】
バネ部材は、係止位置でシェルの閉鎖端部の方へピストンを付勢するするようにしてもよい。必要に応じて、バネ部材は、係止位置で内部空間内のピストンを吊下げてもよい。
【図面の簡単な説明】
【００２７】
【図１】従来のコードロックの内部を部分的に示した斜視図である。
【図２】従来のコードロックの軸方向断面図である。
【図３】コード通路を整列させた圧縮された状態の、従来のコードロックの軸方向断面図である。
【図４】コードを保持する従来のコードロックの軸方向断面図である。
【図５】従来の弓形コードロックの斜視図である。
【図６】従来の弓形コードロックの横方向断面図である。
【図７】繋留部を取付けた従来のコードロックの軸方向断面図である。
【図８】繋止された従来のコードロックの斜視図である。
【図９】繋止ループを有する従来のコードロックを例示する。
【図１０】複数の繋止ループを有する従来のコードロックを例示する。
【図１１】開口部を拡げたり締めたりする本考案の実施形態によるコードロック組立体を有する手袋のような物品の斜視図である。
【図１２】本考案の実施形態によるコードロック組立体の分解斜視図である。
【図１３】本考案の実施形態によるコードロック組立体の軸方向断面図である。
【図１４】本考案の実施形態による物品に固定されたコードロック組立体の軸方向断面図である。
【図１５】本考案の実施形態による開位置に操作されたコードロック組立体の軸方向断面図である。
【図１６】本考案の実施形態による物品に固定されたコードロック組立体の軸方向断面図である。
【図１７】本考案の実施形態による物品に固定されたコードロック組立体の斜視図である。
【図１８】本考案の実施形態によるコードロック組立体の軸方向断面図である。
【図１９】本考案の実施形態によるコードロック組立体の軸方向断面図である。
【図２０】本考案の実施形態による開位置のコードロック組立体の軸方向断面図である。
【図２１】本考案の実施形態によるコードロック組立体の軸方向断面図である。
【図２２】本考案の実施形態による閉位置のコードロック組立体の斜視図である。
【図２３】本考案の実施形態による開位置のコードロック組立体の斜視図である。
【考案を実施するための形態】
【００２８】
本考案の実施形態を詳細に説明する前に、本考案の用途は、以下の説明に記載されまた図面に例示された構成要素の構成および配置の詳細に制限されないことを理解されたい。本考案は他の実施形態も可能であり、様々な方法で実施または実行されうるものである。また、本出願で使用される表現および用語は説明を目的とするものであって、制限的に解釈されるべきではないことを理解されたい。「含む」および「備える」という語句およびそれらの活用形の使用は、それらの語句の後に列挙された項目およびその等価物、ならびにそれらの追加項目およびその等価物を包含することを意味する。
【００２９】
図１１は、本考案の実施形態に係る。手袋９０の袖口の開口部９２を選択的に拡げたり締めたりするように構成されたコードロック組立体１００を有する手袋９０の斜視図である。開口部９２があるため、着用者は自分の手を手袋９０に挿入できる。コード９４は、開口部８２に近接した手袋９０の袖口のコード通し穴９６内に配置される。また、コード９４の一部はコードロック組立体１００内に保持される。コードロック組立体１００は手袋９０と共に使用されるものが図示されているが、コードロック組立体１００は、（半ズボンまたはズボンのウエストバンド、バッグ／リュックサック等といった）物の周囲を選択的に拡げたり締めたりするように構成された様々な他の物品と共に使用してもよい。
【００３０】
図１２は、本考案の実施形態によるコードロック組立体１００の分解斜視図である。コードロック組立体１００は、アセタールのような剛性プラスチック、または、過酷な環境条件に耐えうる他の適切な材料から成形することができる。
【００３１】
コードロック組立体１００は、摺動可能にピストン１０４を保持する主ハウジングまたはシェル１０２を含む。ピストン１０４は、（長手の中心軸Ｘ周りに）概ね楕円形の断面を有することができよう。ピストン１０４の楕円形の断面によって、同様の形状のシェル１０２内でのピストン１０４の回転が防止される。この断面形状によって、コードロック組立体１００は、強く堅牢でコンパクトな薄形とすることができることが判明している。
【００３２】
シェル１０２は、開放端部１０８を有した内部空間１０６を形成する。コードロック組立体１００の長手方向の軸線Ｘに対して垂直にシェル１０２を貫いてコード通路１１０が整列、形成されている。開放端部１０８の近傍にスロット１１２がシェル１０２を貫通させて形成されており、エンドキャップ１１６のタブ１１４を受容してスナップ式に保持するように構成されている。ポリエステルウェビングの帯片のような繋留索１１８は、開放端部１０８の遠位に位置するシェル１０２の端部１２０に固定される。繋留索１１８は、コードロック組立体１００を、繋留部１４２を介して（図１１に示す）手袋９０の袖口のような物品に確実に接続する。繋留部１４２は、繋留索１１８との摩擦を減らすローラーまたはプーリーを含むことができる。
【００３３】
ピストン１０４は、シェル１０２の内部空間１０６内に摺動可能に保持されるように構成されている。ピストン１０４は、該ピストン１０４を貫通するコード通路１２２を含み、該コード通路は、コードロック組立体１００の長手方向の軸線Ｘに対して概ね垂直となっている。引き紐１２４が、繋留部１４２の遠位に位置するピストン１０４の端部１２６から延在している。
【００３４】
コイルバネ１２８は、エンドキャップ１１６の基部１３０とピストン１０４の下面１３２との間に圧縮、挟持されている。コイルバネ１２８は、コード通路１２２の位置がコード通路１１０の位置とずれるように、シェル１０２の端部１２０の方へピストン１０４を付勢する。中央経路１３４が、バネ１２８を通じて画成される。引き紐１２４は中央経路１３４を通過し、エンドキャップ１１６の基部１３０を貫通、形成された開口部１３６から外に出る。引き紐１２４の遠位端部１３８は、エンドキャップ１１６の外側に配置された把持片１４０に固定される。図１２に示すように、把持片１４０は、エンドキャップ１１６に向かってテーパーの付いた人間工学的形状である。このため、ユーザは２本の指で把持片１４０を容易に把持することができる。また、把持片１４０は、把持片１４０から指が滑る危険を低減するため、外側把持表面から延びる複数のリブや突起部等を含むことができる。把持片１４０は、ユーザが把持片１４０を把持して開口部１３６から引き紐１２４を引張ることによって、バネ１２８を圧縮しながら、コード通路１１０に対して整列するようにコード通路１２２を移動させるように操作できる。たとえ手袋を装着していてもユーザが触覚だけで容易に識別できるように、把持片１４０は大きくて特徴的である。
【００３５】
本実施形態では、ピストン１０４は、シェル１０２およびエンドキャップ１１６によって内部空間１０６内に保持されている。ピストン１０４は、シェル１０２の閉鎖端部１２０によってシェル１０２から脱離しないようになっている。
【００３６】
図１３は、コードロック組立体１００の軸方向断面図である。上述のように、コイルバネ１２８は、シェル１０２の端部１２０の方へピストン１０４を付勢する。ピストン１０４は内部空間１０６内で摺動可能であるが、ピストン１０４の移動範囲は、シェル１０２の端部１２０と、エンドキャップ１１６の基部１３０とによって限定されている。ピストン１０４がシェル１０２の端部１２０の方へ付勢されている間、コード通路１２２は、シェル１０２側の整列したコード通路１１０とは位置がずれている。ユーザが把持片１４０を把持して矢印Ｂの方向に引き下げることによって、コード通路１２２の位置がコード通路１１０に対して一直線上に整列する。
【００３７】
繋留索１１８は、上述のように、ポリエステルウェビングの帯片とすることができ、シェル１０２の端部１２０に配置された固定ロッド、ポストなどの繋留部１４２の周囲に確実に結ぶことができる。こうして、繋留索１１８はシェル１０２に確実に取付けられる。
【００３８】
図１４は、本考案の実施形態による図１１に示す手袋のような物品９０に取付けられたコードロック組立体１００の軸方向断面図である。図１４に示すように、繋留索１１８はコードロック組立体１００のシェル１０２を物品９０に確実に取付ける。
【００３９】
コード１４４は、その遠位端部に把持片１４６を有しており、物品９０のコード通し穴１４８内に摺動可能に保持される。把持片１４６は、把持片１４０と容易に区別できるように、把持片１４０と異なる寸法、形状とすることができる。こうして、ユーザは、触覚だけで、自分が引き紐１２４とコード１４４のどちらを操作しているかを識別できる。
【００４０】
コード１４４の一部は、シェル１０２のコード通路１１０およびピストン１０４のコード通路１２２とを通過する。バネ１２８は、シェル１０２の端部１２０の方へピストン１０４を付勢しており、それによってピストン１０４のコード通路１２２の位置がシェル１０２のコード通路１１０の位置とずれるようになっている。したがって、コード１４４において内部空間１０６内に存在する部分は、コード通路１１０を形成するシェル１０２の縁部と、コード通路１２２を形成するピストン１０２の表面との間で挟持される。このようにして、コード１４４は定位置に係止される。コードロック組立体１００は物品９０に確実に取付けられているので、ユーザは、引き紐１２４を引下げることによって（繋留索１１８によって物品９０に取付けられた）シェル９０内でピストン１０４を移動させ、コード通路１２２をコード通路１１０に対して一直線上に整列させることができよう。
【００４１】
図１５は、本考案の実施形態による開位置に操作されたコードロック組立体１００の軸方向断面図である。ユーザが把持片１４０を把持すると、コードロック組立体１００は、物品９０への繋留索１１８の取付点または取付部位１５０を中心としてユーザの方へ回動する。次いで、ユーザが引き紐１２４を矢印Ｂの方向へ引張ると、ピストン１０４もまた同じ方向へ引張られる。ピストン１０４がエンドキャップ１１６の基部１３０の方へ移動するとバネ１２８が圧縮される。コードロック組立体１００は、物品９０に対して回動させることができるので、ピストン１０４のコード通路１２２がシェル１０２のコード通路１１０に対して整列すると、コード１４４は、整列した通路１２２、１１０間に画成される経路を通して摺動可能となる。このようにして、コード１４４を緩め、物品９０の開口部を拡げることができよう。さらに、この動きは片手で達成することができよう。
【００４２】
ユーザが把持片１４０を放すと、バネ１２８によってピストン１０４は、シェル１０２の端部１２０の方へ戻るように付勢される。したがって、ピストン１０４のコード通路１２２はシェル１０２のコード通路１１０から外れ、それによってコード１４４は係止位置に挟持される。
【００４３】
コード１４４を締めて、物品９０の開口部を引き締めまたは他の形で締めるため、ユーザは、まず把持片１４６を把持してコードロック組立体１００から引張る。コード１４４が引張られると、内部空間１０６内でコード１４４が挟持されている点に作用する摩擦力の一部がピストン１０４に直接伝えられる。摩擦力は、矢印Ｂの方向にピストンに伝えられ、それによって、ピストン１０４がエンドキャップ１１６の方へわずかに移動する。したがって、コード通路１２２がコード通路１１０の方へわずかに移動し、それによって、コード１４４に対する挟持力の一部が軽減される。これによって、コードロック組立体１００を通じてコード１４４を引張るために必要な力が低減される。すなわち、コード１４４は、制限された状態で、コードロック組立体１００を通じて摺動可能である。すなわち、コード１４４は、コードロック組立体１００内で挟持されたまま、その中で制限的に摺動する。ユーザが把持片１４６を放すと、コード１４４は定位置に係止される。こうして、ユーザは、把持片１４６を引張ることによって、コードロック組立体１００による係止力の少なくとも一部を克服できる。しかし、ユーザが把持片１４６を解放すると、コードロック組立体１００による挟持力によって、コード１４４は定位置に係止される。
【００４４】
図１６は、本考案の実施形態による物品９０に取付けられたコードロック組立体１００の軸方向断面図である。本実施形態では、引き紐１２４の周囲に輪を作り、固定ループ１６０を物品９０に取付けることができよう。こうして、固定ループ１６０は、物品９０に対するコードロック組立体１００の回動範囲を限定する。さらに、固定ループ１６０によって、コードロック組立体１００は、物品９０に対して一定の範囲内に保持される。このようにして、固定ループ１６０はコードロック組立体１００と協働して、引き紐１２４が引張られるとき、物品９０の開口部を完全に拡げられるようにする。必要に応じて、固定ループ１６０はシェル１０２の周囲に取付けてもよい。
【００４５】
図１７は、物品９０に取付けられた本考案の実施形態によるコードロック組立体１７０の斜視図である。図１８は、本考案の実施形態によるコードロック組立体１７０の軸方向断面図である。図１７、１８を参照すると、シェル１０２は開放端部１７２を含む。エンドキャップ１１６の基部１３０の開口部１３６は把持片１４０の直径より小さいので、開放端部１７２からのピストン１０４の脱離が防止される。
【００４６】
繋留索１１８は、開放端部１７２の外側縁部に連結されており、外側コード通路１１０′と概ね同一線上にある。繋留部１４２は、シェル１０２の上部縁部に繋留索１１８の一部が通過するスロットを形成するようにしてもよい。繋留索１１８、繋留部１４２およびコード通路１１０′を整列させることによって、コードロック組立体１７０を通してコード１４４を平行移動させ、かつ、引き紐１２４によってシェル１０２内でピストン１０４を移動させるための効率的なシステムが提供されることを発見した。こうして、コードロック組立体１００は、繋留部１４２および繋留索１１８が、コード１４４の引き手と同一線上にあるように効率的に配置された簡素な構造を有している。
【００４７】
本実施形態では、ピストン１０４はバネ１２８の端部に固定し、該バネをエンドキャップ１１６に固定するようにしてもよい。例えば、バネ１２８の一部を、接合、接着または他の形でピストン１０４に固定することができよう。こうして、シェル１０２からのバネ１２８の脱離が防止される。さらに、繋留索および／または物品９０をシェル１０２からのピストン１０４の脱離を防止する障壁として機能させることもできよう。
【００４８】
図１９は、本考案の実施形態によるコードロック組立体１８０の軸方向断面図である。本実施形態では、繋留部１４２が互いに約１８０°離間させて両側に配置されている。繋留索１１８は、繋留部１４２の双方の周囲に輪を作り、それによって繋留索１１８に対するシェル１０２の一層堅牢に連結されている。繋留索１１８の方へ付勢されると、ピストン１０４は繋留索の下部１８２を上に押し上げる。しかし、繋留索の下部１８２がピストン１０４の動きを制限する。
【００４９】
図２０は、開位置にある本考案の実施形態によるコードロック組立体１８０の軸方向断面図である。引き紐１２４が引張られると、コード通路１２２、１１０が一直線上に整列し、ピストン１０４が移動して繋留索１１８の下部１８２と接触しなくなるので、該下部は真っ直ぐになる。引き紐１２４が引張られると、繋留索１１８は繋留部１４２の間で引き締められてピストン１０４の上部突起１８４に力を作用し、それによってピストン１０４を矢印Ｂの方向に下向きに押す。このようにして、繋留索１１８は、コードに作用してそれを係止する挟持力を解除する助けとすることができよう。
【００５０】
一般に、繋留部１４２の数は、図示したものより多いか或いは少なくすることができよう。さらに、繋留部１４２はシェル１０２の違う場所に配置してもよい。また、１または複数の繋留部１４２を、図１１に示す手袋９０のような物品の一部に直接連結するようにしてもよい。
【００５１】
図２１は、本考案の実施形態によるコードロック組立体１９０の軸方向断面図である。本実施形態では、バネ１２８はシェル１０２の閉鎖端部壁１９２の下側に固定される。本実施形態ではエンドキャップは使用しない。その代わり、ピストン１０４の上面はバネ１２８の端部に固定され、バネ１２８は内部空間１０６内でピストン１０４を吊下げる。バネ１２８のバネ定数は、ピストン１０４のコード通路１２２がシェル１０２のコード通路１１０より上側に配置されるようにする程度のものである。コードロック組立体１９０を開くため、ユーザは引き紐１２４を引張ってピストン１０４を吊下げる力を克服する。ユーザは、コード通路１２２がコード通路１１０に整列するまで引張り続ける。把持片１４０を放すと、バネ１２８はピストン１０４を元の位置まで引き戻す。
【００５２】
図２２は、閉位置にある本考案の実施形態によるコードロック組立体２００の斜視図である。コードロック組立体２００は、ピストン２０４を摺動可能に保持するシェルまたは主ハウジング２０２を含む。上記の実施形態と同様に、シェル２０２は整列した通路２０６を含んでおり、該通路は、閉位置でピストン２０４に貫通、形成された通路とは位置がずれている。通路２０６は穴として図示されているが、通路２０６は、代替的には、半円／円筒形の開放経路、溝、凹所等とすることができる。引き紐をピストン２０４の下部に直接取付ける代わりに、ユーザが主ハウジング２０２を把持して、該主ハウジングをピストン２０４から離反するように引張り、通路２０６とピストンの通路とを整列させるようにできる。更に、コードロック組立体２００の表面は、突起部や凹所等を設ける代わりに平滑にしてもよい。
【００５３】
一般に穴である通路２０６を有するシェル２０２が図示されているが、シェル２０２の上部バーは除去してもよい。すなわち、通路２０６は、穴である代わりに、半円形の経路であってもよい。こうした配置にするとシェル２０２全体の長さが減り、材料コストが減る。
【００５４】
図２３は、開位置にある本考案の実施形態によるコードロック組立体２００の斜視図である。上述のように、ユーザはシェル２０２の外側を把持して、物品に繋止されたピストン２０４から該シェルを下向きに引き離すだけでよい。そうすることで、シェル２０２の通路２０６は、ピストン２０４を通じて形成された通路２０８に対して整列する。内部バネ部材を使用して、ユーザがシェル２０２を放すと、シェル２０２およびピストン２０４が閉位置に引き戻されるようにしてもよい。
【００５５】
上記の実施形態は、様々な数のコード通路、コードおよび様々な寸法のコードを取り扱うため、様々な材料から、様々な方法と寸法で形成することができよう。目的に応じて、コードロック組立体は、プラスチック、金属または他の適切な材料から製造することができ、コードは、弾力性のない紐、弾力性のある紐、ロープ、ケーブル、ワイヤ、チューブ、ウェビング等から製造することができる。コイルバネは、圧縮または伸長バネでもよく、金属、成形プラスチック、ゴム、ショックコードその他の適切な材料から製造することができる。本考案の実施形態は、アウトドア衣料、アクセサリー、用具、機材、荷物、保存用バッグ、履物、および様々な他の物品と共に使用してもよい。
【００５６】
図示し説明したように、本考案の実施形態は、対向する力を利用して、操作者が片手でコードロック組立体を選択的に開閉できるようにする便利で効率的なコードロック組立体を提供する。引き紐の把持片は、従来のコードロックの圧縮部分より探索して把持するのがはるかに容易である。すなわち、操作者は容易に引き紐を識別し、容易かつ確実に把持片を把持できる。すなわち、小さな部分を挟んで圧縮するのと対照的に、比較的大きい力を使用して引き紐を引張り、コード通路を整列させることができる。コードロック組立体の圧縮表面を除去することによって、コードロック組立体は、（把持用に過大な寸法の部分を形成するのと対照的に）確実に機能するための必要最小限の大きさに形成できる。したがって、本考案の実施形態はコンパクトで丸みがあり邪魔になる要素を最小限にすることができる。
【００５７】
本考案の実施形態は、片手で操作できるコードロック組立体を提供する。本考案の実施形態は、締めている間はコードにかかるコードロックの挟持力を減らし、緩めている間はコードに対する挟持を解放して開口部を拡げる解放機構を提供するコードロック組立体を提供する。さらに、本考案の実施形態は、手袋またはミトンを装着しても容易に感知、把持、把持および操作できるコンパクトで丸みのある形状を有しうるコードロック組立体を提供する。
【００５８】
従来のコードロックの場合のように、指先で圧縮することによって克服できるバネの付勢力の量は一般に制限されている。本考案の実施形態は、引張って調整するように構成されたコードロック組立体を提供する。圧縮するのとは対照的に、引張ることによってより大きな力が印加できる。本考案の実施形態は、堅牢で引張ることを通じて把持し調整するのが容易なコードロック組立体を提供する。こうしたコードロック組立体は、引張ることを通じて把持でき、従来の圧縮するやり方のコードロックの場合より小さい労力でコードロック組立体を調整できるため、ロープまたはストラップを使用したより力のかかる用途のためより強いプラスチックまたは金属から形成してもよい。
【００５９】
本考案の実施形態を説明するため、上部、底部、下部、中央、横方向、水平、垂直、前部、等の様々な空間的および方向的用語が使用されることがあるが、これらの用語は単に図示の方向を基準として使用されているに過ぎないことを理解されたい。これらの方向は、上部が下部になる、その逆、水平が垂直になる、等、反転、回転、または他の形で変更されることがある。
【００６０】
上記に対する様々な変更および修正は本考案の範囲内である。本出願で開示され定義された本考案は、本文および／または図面に言及されまたそこから明らかな２つ以上の個別の特徴のあらゆる代替的な組み合わせにまで拡張されることを理解されたい。これらのこうした組み合わせは全て、本考案の様々な代替態様を構成する。本出願に記載の実施形態は本考案を実施する既知の最良の態様を説明し、当業者による本考案の利用を可能にするものである。実用新案登録請求の範囲は先行技術が許容する限り代替実施形態を含むと解釈されるべきである。
本考案の様々な特徴は実用新案登録請求の範囲に記載されている。
【図１】
0003165024.tif 000003
【図２】
0003165024.tif 000004
【図３】
0003165024.tif 000005
【図４】
0003165024.tif 000006
【図５】
0003165024.tif 000007
【図６】
0003165024.tif 000008
【図７】
0003165024.tif 000009
【図８】
0003165024.tif 000010
【図９】
0003165024.tif 000011
【図１０】
0003165024.tif 000012
【図１１】
0003165024.tif 000013
【図１２】
0003165024.tif 000014
【図１３】
0003165024.tif 000015
【図１４】
0003165024.tif 000016
【図１５】
0003165024.tif 000017
【図１６】
0003165024.tif 000018
【図１７】
0003165024.tif 000019
【図１８】
0003165024.tif 000020
【図１９】
0003165024.tif 000021
【図２０】
0003165024.tif 000022
【図２１】
0003165024.tif 000023
【図２２】
0003165024.tif 000024
【図２３】
0003165024.tif 000025
【手続補正書】
【提出日】平成22年10月20日(2010.10.20)
【手続補正１】
【補正対象書類名】実用新案登録請求の範囲
【補正対象項目名】全文
【補正方法】変更
【補正の内容】
【実用新案登録請求の範囲】
【請求項１】
物品のコードを選択的に締めたり緩めたりするように構成されたコードロック組立体であって、前記コードロック組立体が、
内部空間を画定するシェルであって、整列したシェル側コード通路を備えるシェルと、
ピストン側コード通路が貫通、形成されて成るピストンであって、前記ピストン側コード通路の位置が前記シェル側コード通路の位置に整列する解除位置と、前記ピストン側コード通路の位置が前記シェル側コード通路の位置とずれる係止位置との間で前記シェルに対して摺動可能に前記内部空間内に保持されるピストンと、
前記係止位置へ向けて前記シェル内の前記ピストンに力を作用するバネ部材とを具備するコードロック組立体。
【請求項２】
前記ピストン側コード通路と前記シェル側コード通路とを前記解除位置に移動させるために、前記シェルまたは前記ピストンの一方は、前記シェルを前記ピストンに対して引張る、或いは、前記ピストンを前記シェルに対して引張るために、直接的に把持、操作するように構成されている請求項１に記載のコードロック組立体。
【請求項３】
前記ピストンに固定された引き紐を具備し、該引き紐を引張って前記ピストンを移動させ、前記シェル側コード通路に対して前記ピストン側コード通路を整列させて解除位置で前記コードが自由に通過可能とするように構成されている請求項１に記載のコードロック組立体。
【請求項４】
前記引き紐が、前記ピストン側コード通路と前記シェル側コード通路とを前記解除位置に移動させるため、片手で把持するように構成されている請求項３に記載のコードロック組立体。
【請求項５】
前記引き紐の遠位端部が、触覚によって識別できる特徴的な把持片に連結されている請求項３に記載のコードロック組立体。
【請求項６】
前記シェルにスナップ式に固定されたエンドキャップを具備し、前記ピストンが前記シェルと前記エンドキャップとの間に保持され、かつ、前記エンドキャップが、前記引き紐が通過する開口部を備える請求項１に記載のコードロック組立体。
【請求項７】
前記物品に固定された材料の一部を確実に保持するように構成された少なくとも１つの繋留部を備える請求項１に記載のコードロック組立体。
【請求項８】
前記少なくとも１つの繋留部の位置が、前記シェル側コード通路の少なくとも一方の上方に整列している請求項１に記載のコードロック組立体。
【請求項９】
前記シェルが開放端部と閉鎖端部とを備える請求項１に記載のコードロック組立体。
【請求項１０】
前記シェルが第１と第２の開放端部を具備し、可撓性繋留索が前記第１と第２の開放端部の一方に繋止され、前記可撓性繋留索が前記ピストンの移動を制限する請求項１に記載のコードロック組立体。
【請求項１１】
前記バネ部材が、係止位置で前記シェルの閉鎖端部の方へ前記ピストンを付勢する請求項１に記載のコードロック組立体。
【請求項１２】
前記ピストンは、前記バネ部材によって、前記内部空間内で係止位置に吊下げられる請求項１に記載のコードロック組立体。
【請求項１３】
物品を選択的に開放および閉鎖するシステムにおいて、該システムが、
前記物品の開口部に近接して固定されたコードと、
物品の前記コードを選択的に締めたり緩めたりするように構成されたコードロック組立体とを具備し、該コードロック組立体が、
内部空間を画定するシェルであって、整列したシェル側コード通路を備えるシェルと、
ピストン側コード通路が貫通、形成されて成るピストンであって、前記ピストン側コード通路の位置が前記シェル側コード通路の位置に整列する解除位置と、前記ピストン側コード通路の位置が前記シェル側コード通路の位置とずれる係止位置との間で前記シェルに対して摺動可能に前記内部空間内に保持されたピストンであって、ピストン側コード通路が貫通、形成され、前記コードの一部が前記シェル側コード通路および前記ピストン側コード通路の中に保持されるピストンと、
係止位置において、前記ピストン側コード通路の位置が前記シェル側コード通路の位置とずれるように前記シェル内の前記ピストンに力を作用するバネ部材であって、係止位置において、前記コードが定位置に固定されるようにしたバネ部材とを具備するシステム。
【請求項１４】
前記ピストン側コード通路と前記シェル側コード通路とを前記解除位置に移動させるために、前記シェルが、前記ピストンに対して前記シェルを引張るため直接把持および操作するように構成されている請求項１３に記載のシステム。
【請求項１５】
前記ピストンに固定された引き紐を具備し、該引き紐を引張って前記ピストンを移動させ、前記シェル側コード通路に対して前記ピストン側コード通路を整列させて解除位置で前記コードが自由に通過可能とするように構成されている請求項１３に記載のシステム。
【請求項１６】
前記引き紐が、前記ピストン側コード通路と前記シェル側コード通路とを前記解除位置に移動させるため片手で把持するように構成されている請求項１５に記載のシステム。
【請求項１７】
前記引き紐の遠位端部が、触覚によって識別できる第１の把持片に連結されている請求項１５に記載のシステム。
【請求項１８】
前記コードが、前記第１の把持片と別個で特徴的な第２の把持片に接続され、前記第１と第２の把持片が寸法および／または形状の一方または両方において異なっている請求項１３に記載のシステム。
【請求項１９】
前記コードロック組立体が、前記シェルにスナップ式に固定されたエンドキャップを具備し、前記ピストンが前記シェルと前記エンドキャップとの間に保持され、かつ、前記エンドキャップが、前記引き紐が通過する開口部を備える請求項１３に記載のシステム。
【請求項２０】
前記コードロック組立体が、前記物品に固定された繋留索を確実に保持するように構成された少なくとも１つの繋留部を備える請求項１３に記載のシステム。
【請求項２１】
前記少なくとも１つの繋留部の位置が、前記物品の遠位に位置する前記シェル側コード通路の少なくとも一方の上方に整列している請求項２０に記載のシステム。
【請求項２２】
前記シェルが開放端部と閉鎖端部とを備える請求項１３に記載のシステム。
【請求項２３】
前記シェルが第１と第２の開放端部を具備し、可撓性繋留索が前記第１と第２の開放端部の一方に繋止され、前記可撓性繋留索が前記ピストンの移動を制限する請求項１３に記載のシステム。
【請求項２４】
前記バネ部材が、係止位置で前記シェルの閉鎖端部の方へ前記ピストンを付勢する請求項１３に記載のシステム。
【請求項２５】
前記ピストンは、前記バネ部材によって、前記内部空間内で係止位置に吊下げられる請求項１３に記載のシステム。
【請求項２６】
コードロック組立体であって、
内部空間を画定し楕円形の外周を有するシェルであって、整列したシェル側コード通路を備えるシェルと、
前記内部空間内に摺動可能に保持されたピストンであって、楕円形の断面を有し、ピストン側コード通路が貫通、形成されたピストンと、
係止位置で前記ピストン側コード通路の位置が前記シェル側コード通路の位置とずれるように前記シェル内の前記ピストンに力を作用するバネ部材と、
前記ピストンに固定された引き紐であって、前記引き紐が、解除位置でコードが自由に通過できるように、前記ピストン側コード通路の位置を前記シェル側コード通路の位置と合わせるために、引張って前記ピストンを移動させるように構成されており、前記引き紐が前記ピストン側コード通路と前記シェル側コード通路とを解除位置に移動させるため片手で把持するように構成されている、引き紐と、
前記引き紐の遠位端部に接続され、触覚によって識別できる特徴的な把持片と、
前記シェルを物品に確実に接続するように構成された少なくとも１つの繋留部と、
前記少なくとも１つの繋留部に固定され、前記物品に確実に固定されるように構成された繋留索とを備えるコードロック組立体。
【請求項２７】
前記シェルにスナップ式に固定されたエンドキャップを具備し、前記ピストンが前記シェルと前記エンドキャップとの間に保持され、かつ、前記エンドキャップが、前記引き紐が通過する開口部を備える請求項２６に記載のコードロック組立体。
【請求項２８】
前記少なくとも１つの繋留部の位置が、前記物品の遠位に位置する前記シェル側コード通路の少なくとも一方の上方に整列している請求項２６に記載のコードロック組立体。
【請求項２９】
前記シェルが開放端部と閉鎖端部とを備える請求項２６に記載のコードロック組立体。
【請求項３０】
前記シェルが第１と第２の開放端部を具備し、前記可撓性繋留索が前記第１と第２の開放端部の一方に繋止され、前記可撓性繋留索が前記ピストンの移動を制限する請求項２６に記載のコードロック組立体。
【請求項３１】
前記バネ部材が、係止位置で前記シェルの閉鎖端部の方へ前記ピストンを付勢する請求項２６に記載のコードロック組立体。
【請求項３２】
前記ピストンは、前記バネ部材によって前記内部空間内で係止位置に吊下げられている請求項２６に記載のコードロック組立体。